(57)【要約】【課題】本発明は、前部ボックスドアをテーブルとして使用するコンソールボックスにおいて、使い勝手の良いコンソールボックスを実現することを目的とする。【解決手段】コンソールボックスの上部に設けられるボックスドアを、前後に２分割して後部ボックスドア１１と前部ボックスドア１２とし、前記後部ボックスドア１１から前方に延びる支持アーム１３に設けたヒンジ軸１４に前記前部ボックスドア１２を支持させ、該前部ボックスドア１２をヒンジ軸１４を中心として回転し裏返してテーブルとして使用することができるコンソールボックスにおいて、前記前部ボックスドア１２のヒンジ軸１４近傍に板ばね１５を設けると共に、前記支持アーム１３のヒンジ軸近傍に当接片１７を設け、前記前部ボックスドア１２をテーブル使用状態に回転させたとき、前記板ばね１５は前記当接片１７に接触後は、ばね力が強くなるように構成する。【選択図】　　　図１
2004066916.tif 000002
【特許請求の範囲】
【請求項１】
コンソールボックスの上部に設けられるボックスドアを、前後に２分割して後部ボックスドア（１１）と前部ボックスドア（１２）とし、前記後部ボックスドア（１１）から前方に延びる支持アーム（１３）に設けたヒンジ軸（１４）に前記前部ボックスドア（１２）を支持させ、該前部ボックスドア（１２）をヒンジ軸（１４）を中心として回転し裏返してテーブルとして使用することができるコンソールボックスにおいて、
前記前部ボックスドア（１２）のヒンジ軸（１４）近傍に板ばね（１５）を設けると共に、前記支持アーム（１３）のヒンジ軸近傍に当接片（１７）を設け、前記前部ボックスドア（１２）をテーブル使用状態に回転させたとき、前記板ばね（１５）は前記当接片（１７）に接触後は、ばね力が強くなるようにしたことを特徴とするコンソールボックス。
【請求項２】
前記板ばね（１５）は、前記前部ボックスドア（１２）に片持ち状態で取付けられ、該前部ボックスドア（１２）が回転し前記板ばね（１５）が前記当接片（１７）に接する点をすぎると自由端が前部ボックスドア（１２）に接触して両持ち状態になることを特徴とする請求項１記載のコンソールボックス。
【発明の詳細な説明】
【０００１】
【発明の属する技術分野】
本発明はコンソールボックスに関する。詳しくは、車両に用いられるコンソールボックスで、特にその上部のボックスドアを前後に２分割し、その前部側を１８０°反転させてテーブルとして用いることができるコンソールボックスに関する。
【０００２】
【従来の技術】
従来の車両に用いられているコンソールボックスで、特にその上部のボックスドアを前後に２分割して、その前部側をテーブルとして用いることができるようにしたものがある。その１例として、図３に特開２００１ー２９４０９４号に記載されたものを示す。
【０００３】
これは、同図に示すように、ボックス本体１と、該ボックス本体１の上部を蓋するボックスドア２とよりなり、該ボックスドア２は前部ボックスドア２ａと後部ボックスドア２ｂとに２分割され、前記後部ボックスドア２ｂには、前方に延び、且つその先端近傍に軸受孔３を有する左右１対の支持腕４が設けられ、前記、前部前部ボックスドア２ａは、前部の下部左右に軸５が設けられ、該軸５を前記支持腕４の軸受孔３に支持されて、前方に１８０°回転可能であるように構成されている。
【０００４】
【発明が解決しようとする課題】
上記のような従来のコンソールボックスでは、車両のように振動のある環境で使用されるため、振動に対して強くする必要がある。そのため、例えば前部ボックスドアを重くし、車両が振動してもテーブルとして使用中に前部ボックスドアが大きく振動しないようにすることが考えられる。
しかし、前部ボックスドアを重くすると、テーブル未使用状態から前部ボックスドアを回転させる際、相当の力が必要となり、使い勝手が悪くなるという問題が生ずる。
【０００５】
本発明は、上記従来の問題点に鑑み、前部ボックスドアと後部ボックスドアとに２分割されて、前部ボックスドアをテーブルとして使用するコンソールボックスにおいて、テーブル未使用状態から前部ボックスドアを回転させる際、軽く回転させることができ、且つ回転の終端では強力に固定される使い勝手の良いコンソールボックスを実現することを目的とする。
【０００６】
【課題を解決するための手段】
上記目的を達成するため、本発明の請求項１は、コンソールボックスの上部に設けられるボックスドアを、前後に２分割して後部ボックスドア１１と前部ボックスドア１２とし、前記後部ボックスドア１１から前方に延びる支持アーム１３に設けたヒンジ軸１４に前記前部ボックスドア１２を支持させ、該前部ボックスドア１２をヒンジ軸１４を中心として回転し裏返してテーブルとして使用することができるコンソールボックスにおいて、前記前部ボックスドア１２のヒンジ軸１４近傍に板ばね１５を設けると共に、前記支持アーム１３のヒンジ軸近傍に当接片１７を設け、前記前部ボックスドア１２をテーブル使用状態に回転させたとき、前記板ばね１５は前記当接片１７に接触後は、ばね力が強くなるようにしたことを特徴とする。また、請求項２は、前記板ばね１５は、前記前部ボックスドア１２に片持ち状態で取付けられ、該前部ボックスドア１２が回転し前記板ばね１５が前記当接片１７に接する点をすぎると自由端が前部ボックスドア１２に接触して両持ち状態になることを特徴とする。
【０００７】
この構成を採ることにより、前部ボックスドアを１８０°回転してテーブルとするとき、終端近くまでは軽く回動でき、終端では強く固定できる振動に強く且つ使い勝手の良いコンソールボックスが得られる。
【０００８】
【発明の実施の形態】
図１は本発明の実施の形態の要部を示す断面図である。同図において符号１０はコンソールボックス本体、１１は該コンソールボックス本体１０に図示なきヒンジ軸により回動可能に取付けられた後部ボックスドア、１２は前部ボックスドアである。そして、後部ボックスドア１１には、前方に延びた支持アーム１３が設けられ、且つ該支持アーム１３の先端近傍にはヒンジ軸１４が設けられ、該ヒンジ軸１４には前記前部ボックスドア１２が１８０°回動可能に支持されている。
【０００９】
また、前部ボックスドア１２には、ヒンジ軸１４の近傍に略クランク状に折り曲げられた板ばね１５がねじ１６により片持状に取付けられている。
また、前記支持アーム１３には前記板ばね１５が当接し前部ボックスドア１２を固定するための当接片１７が設けられている。なお、この当接片１７は、金属でなくとも耐磨耗性が有れば樹脂でも良い。
【００１０】
このように構成された本実施の形態の作用を図１及び図２により説明する。図１において、前部ボックスドア１２はテーブルとしては未使用状態であり、板ばね１５はどこにも当接していない。
次に前部ボックスドア１２をテーブルとして使用する場合は、ヒンジ軸１４を中心として反時計回りに回動させる。そして図２（ａ）の状態となるが、この状態に到るまでは、板ばね１５はどこにも当接しない。従って前部ボックスドア１２は軽い力で回動させることができる。
【００１１】
図２（ａ）の状態では板ばね１５は当接片１７に当接し、この状態からさらに反時計回りに回動させると板ばね１５の付勢力により回動させるのにより大きな力が必要になってくる。ただし、前部ボックスドア１２の自重により反時計回りの回動は促進されるため、操作者にとってはそれほど大きな荷重とはならない。
【００１２】
さらに、図２（ｂ）の如く、前部ボックスドア１２を反時計回りに回動させると、板ばね１５と当接片１７との干渉が次第に大きくなるため，回動させるための荷重も大きくなってくる。さらに、板ばね１５と当接片１７との接触部が当接片１７下端を乗り越える直前では、板ばね１５の自由端が前部ボックスドア１２の点Ｐ部分に圧接し、それまで片持ちばねとして機能していた板ばね１５が両持ちばねとして機能することになり、ここで極めて大きな付勢力が発生する。
【００１３】
そして、板ばね１５の当接片１７に対する接触部が当接片１７下端を乗り越えた直後に、図示しないストッパーにより前部ボックスドア１２の回動が規制される。
この状態でテーブルとして使用することになるが、車両の振動があっても前部ボックスドア１２は両持ちばねとして機能する板ばね１５の付勢力に対抗する大きな力でなければ時計回りに回動することはないため、効果的にテーブルとして前部ボックスドア１２の振動を防止することができる。
【００１４】
【発明の効果】
本発明のコンソールボックスに依れば、前部ボックスドアに片持ち状態の板ばねを設けると共に、後部ボックスドアの支持アームに当接片を設け、前部ボックスドアを回動させた場合、前記板ばねが当接片に当接後は両持ち状態になるようにして付勢力を大きくしたことにより、前部ボックスドアをテーブルとしたときの振動を防止することが可能となる。また、前部ボックスドアの回動は最後を除いて軽いため、使い勝手は良好となる。
【図面の簡単な説明】
【図１】本発明のコンソールボックスの実施の形態を示す断面図である。
【図２】本発明のコンソールボックスの実施の形態の作用を説明するための図である。
【図３】従来のコンソールボックスの１例を示す断面図である。
【符号の説明】
１０…コンソールボックス本体
１１…後部ボックスドア
１２…前部ボックスドア
１３…支持アーム
１４…ヒンジ軸
１５…板ばね
１６…ねじ
１７…当接片
【図１】
2004066916.tif 000003
【図２】
2004066916.tif 000004
【図３】
2004066916.tif 000005